【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
レーザ光を出射する光源と、
上記光源より出射されたレーザ光の発散角を変換させる１枚以上のカップリングレンズ群と、
入射された上記カップリングレンズ群によって発散角を変換されたレーザ光を光ディスクの信号記録面に集光する１枚以上の対物レンズ群と、
上記光源を光軸方向に移動させて上記カップリングレンズ群に対して接離させることにより球面収差を補正する光源移動手段とを備える光ピックアップにおいて、
上記カップリングレンズ群の主平面から対物レンズ群の主平面までの距離が、上記カップリングレンズ群の焦点距離と上記対物レンズ群の焦点距離とを加算した距離と等しくされることを特徴とする光ピックアップ。
【請求項２】
上記カップリングレンズ群は、正の屈折力を有することを特徴とする請求項１記載の光ピックアップ。
【請求項３】
レーザ光を出射する光源と、上記光源から出射されたレーザ光を平行にする１枚以上のコリメートレンズ群と、上記コリメートレンズ群によって平行とされたレーザ光の発散角を変換させるレンズ群とを有する光源部と、
上記光源部より出射されたレーザ光の発散角を変換させる１枚以上のカップリングレンズ群と、
入射された上記カップリングレンズ群によって発散角を変換されたレーザ光を光ディスクの信号記録面に集光する１枚以上の対物レンズ群と、
上記発散角を変換させるレンズ群を光軸方向に移動させて上記カップリングレンズ群に対して接離させることにより球面収差を補正するレンズ移動手段とを備える光ピックアップにおいて、
上記カップリングレンズ群の主平面から対物レンズ群の主平面までの距離が、上記カップリングレンズ群の焦点距離と上記対物レンズ群の焦点距離とを加算した距離と等しくされることを特徴とする光ピックアップ。
【請求項４】
光ディスクに対して情報を記録及び／又は再生する光ピックアップと、上記光ディスクを回転する駆動手段とを備える光ディスク装置において、
上記光ピックアップは、レーザ光を出射する光源と、
上記光源より出射されたレーザ光の発散角を変換させる１枚以上のカップリングレンズ群と、
入射された上記カップリングレンズ群によって発散角を変換されたレーザ光を光ディスクの信号記録面に集光する１枚以上の対物レンズ群と、
上記光源を光軸方向に移動させて上記カップリングレンズ群に対して接離させることにより球面収差を補正する光源移動手段とを有し、
上記カップリングレンズ群の主平面から対物レンズ群の主平面までの距離が、上記カップリングレンズ群の焦点距離と上記対物レンズ群の焦点距離とを加算した距離と等しくされることを特徴とする光ディスク装置。
【請求項５】
光ディスクに対して情報を記録及び／又は再生する光ピックアップと、上記光ディスクを回転する駆動手段とを備える光ディスク装置において、
上記光ピックアップは、レーザ光を出射する光源と、上記光源から出射されたレーザ光を平行にする１枚以上のコリメートレンズ群と、上記コリメートレンズ群によって平行とされたレーザ光の発散角を変換させるレンズ群とを有する光源部と、
上記光源部より出射されたレーザ光の発散角を変換させる１枚以上のカップリングレンズ群と、
入射された上記カップリングレンズ群によって発散角を変換されたレーザ光を光ディスクの信号記録面に集光する１枚以上の対物レンズ群と、
上記発散角を変換させるレンズ群を光軸方向に移動させて上記カップリングレンズ群に対して接離させることにより球面収差を補正するレンズ移動手段とを有し、
上記カップリングレンズ群の主平面から対物レンズ群の主平面までの距離が、上記カップリングレンズ群の焦点距離と上記対物レンズ群の焦点距離とを加算した距離と等しくされることを特徴とする光ディスク装置。
【手続補正２】
【補正対象書類名】明細書
【補正対象項目名】発明の名称
【補正方法】変更
【補正の内容】
【発明の名称】光ピックアップ及び光ディスク装置
【手続補正３】
【補正対象書類名】明細書
【補正対象項目名】０００１
【補正方法】変更
【補正の内容】
【０００１】
本発明は、光磁気ディスク、相変化型の光ディスク等の光学的に情報信号の記録及び／又は再生が行われる光ディスクに対して情報を記録及び／又は再生する光ピックアップ及びこれを用いた光ディスク装置に関する。
【手続補正４】
【補正対象書類名】明細書
【補正対象項目名】０００９
【補正方法】変更
【補正の内容】
【０００９】
本発明の目的は、球面収差を補正するために光源部を光路方向に移動させた場合にも、横倍率の変化を最小とする光ピックアップ及びこれを用いた光ディスク装置を提供することにある。
【手続補正５】
【補正対象書類名】明細書
【補正対象項目名】００１１
【補正方法】変更
【補正の内容】
【００１１】
また、上述の目的を達成するため、本発明に係る光ピックアップは、レーザ光を出射する光源と、光源から出射されたレーザ光を平行にする１枚以上のコリメートレンズ群と、コリメートレンズ群によって平行とされたレーザ光の発散角を変換させるレンズ群とを有する光源部と、光源部より出射されたレーザ光の発散角を変換させる１枚以上のカップリングレンズ群と、入射されたカップリングレンズ群によって発散角を変換されたレーザ光を光ディスクの信号記録面に集光する１枚以上の対物レンズ群と、発散角を変換させるレンズ群を光軸方向に移動させてカップリングレンズ群に対して接離させることにより球面収差を補正するレンズ移動手段とを備える光ピックアップにおいて、カップリングレンズ群の主平面から対物レンズ群の主平面までの距離が、カップリングレンズ群の焦点距離と対物レンズ群の焦点距離とを加算した距離と等しくされることを特徴とする。
また、上述の目的を達成するため、本発明に係る光ディスク装置は、光ディスクに対して情報を記録及び／又は再生する光ピックアップと、上記光ディスクを回転する駆動手段とを備える光ディスク装置において、上記光ピックアップは、レーザ光を出射する光源と、上記光源より出射されたレーザ光の発散角を変換させる１枚以上のカップリングレンズ群と、入射された上記カップリングレンズ群によって発散角を変換されたレーザ光を光ディスクの信号記録面に集光する１枚以上の対物レンズ群と、上記光源を光軸方向に移動させて上記カップリングレンズ群に対して接離させることにより球面収差を補正する光源移動手段とを有し、上記カップリングレンズ群の主平面から対物レンズ群の主平面までの距離が、上記カップリングレンズ群の焦点距離と上記対物レンズ群の焦点距離とを加算した距離と等しくされることを特徴とする。
さらに、上述の目的を達成するため、本発明に係る光ディスク装置は、光ディスクに対して情報を記録及び／又は再生する光ピックアップと、上記光ディスクを回転する駆動手段とを備える光ディスク装置において、上記光ピックアップは、レーザ光を出射する光源と、上記光源から出射されたレーザ光を平行にする１枚以上のコリメートレンズ群と、上記コリメートレンズ群によって平行とされたレーザ光の発散角を変換させるレンズ群とを有する光源部と、上記光源部より出射されたレーザ光の発散角を変換させる１枚以上のカップリングレンズ群と、入射された上記カップリングレンズ群によって発散角を変換されたレーザ光を光ディスクの信号記録面に集光する１枚以上の対物レンズ群と、上記発散角を変換させるレンズ群を光軸方向に移動させて上記カップリングレンズ群に対して接離させることにより球面収差を補正するレンズ移動手段とを有し、上記カップリングレンズ群の主平面から対物レンズ群の主平面までの距離が、上記カップリングレンズ群の焦点距離と上記対物レンズ群の焦点距離とを加算した距離と等しくされることを特徴とする光ディスク装置。
【手続補正６】
【補正対象書類名】明細書
【補正対象項目名】００１６
【補正方法】変更
【補正の内容】
【００１６】
以下、本発明が適用された光ピックアップについて、図面を参照しながら詳細に説明する。この光ピックアップ１は、光ディスクに対して光ビームを照射することによりデータを記録すると共に光ディスクで反射された戻りの光ビームを検出することにより光ディスクに記録されたデータの読み出しを行う光ディスク装置として以下に説明する記録再生装置１０に適用される。